(57)【要約】【課題】暖房機本体１内に、吸込み口３と吹出し口４とを結ぶ通風路５を画成し、通風路に、循環ファン６とその上流側の加熱器７とを設けると共に、温水を微細水滴に破砕して通風路に流れる空気に混入させる加湿手段８を設けたサウナ機能付き浴室暖房機において、循環ファンが水で濡れると、循環ファンから大きな水滴が飛散して浴室内に飛び出すため、これを防止する。【解決手段】加熱器７と循環ファン６との間の通風路５の部分に加湿手段８を配置する。好ましくは、加熱器７と循環ファン６との間の通風路５の部分に下方への窪み部５ａを設けて、この窪み部５ａに加湿手段８を配置する。【選択図】図１
2008267698.tif 000002
【特許請求の範囲】
【請求項１】
浴室に連通する吸込み口と吹出し口とを開設した暖房機本体内に、吸込み口と吹出し口とを結ぶ通風路を画成し、通風路に、浴室内の空気を吸込み口から吸込んで吹出し口から浴室に吹出す循環ファンを設けると共に、循環ファンより上流側の通風路の部分に、吸込み口から吸込まれた空気を加熱する加熱器を設けたサウナ機能付き浴室暖房機であって、給湯路を介して供給される温水を微細水滴に破砕して通風路に流れる空気に混入させることにより空気を加湿する加湿手段を備えるものにおいて、
加熱器と循環ファンとの間の通風路の部分に加湿手段が配置されていることを特徴とするサウナ機能付き浴室暖房機。
【請求項２】
前記加熱器と前記循環ファンとの間の前記通風路の部分に下方への窪み部が設けられ、この窪み部に前記加湿手段が配置されることを特徴とする請求項１記載のサウナ機能付き浴室暖房機。
【発明の詳細な説明】
【技術分野】
【０００１】
本発明は、浴室を高温多湿のサウナ状態にすることが可能なサウナ機能付き浴室暖房機に関する。
【背景技術】
【０００２】
浴室暖房機は、一般的に、浴室に連通する吸込み口と吹出し口とを開設した暖房機本体を備えている。そして、暖房機本体内に、吸込み口と吹出し口とを結ぶ通風路を画成し、通風路に、浴室内の空気を吸込み口から吸込んで吹出し口から浴室に吹出す循環ファンを設けると共に、循環ファンより上流側の通風路の部分に、吸込み口から吸込まれた空気を加熱する加熱器を設けている。
【０００３】
また、このような浴室暖房機において、給湯路を介して供給される温水を循環ファンに向けて噴霧するミストノズルを設けたものも知られている（例えば、特許文献１参照）。このものでは、ミストノズルから噴霧された温水が循環ファンに衝突して微細水滴に破砕され、循環ファンから送り出される空気に微細水滴が混入される。そのため、空気が加湿されて浴室が高温多湿のサウナ状態になる。
【０００４】
然し、上記従来例では、サウナ運転をある程度継続すると、循環ファンがミストノズルから噴霧される温水で濡れた状態になる。そのため、循環ファンに付着した水膜が大きな水滴となって飛散し、この水滴が吹出し口から浴室内に飛び出して使用者に当り、不快感を与えてしまうことがある。
【特許文献１】特開２００６−２５９６４号公報
【発明の開示】
【発明が解決しようとする課題】
【０００５】
本発明は、以上の点に鑑み、大きな水滴が浴室内に飛び出すことを防止できるようにしたサウナ機能付き浴室暖房機を提供することをその課題としている。
【課題を解決するための手段】
【０００６】
上記課題を解決するために、本発明は、浴室に連通する吸込み口と吹出し口とを開設した暖房機本体内に、吸込み口と吹出し口とを結ぶ通風路を画成し、通風路に、浴室内の空気を吸込み口から吸込んで吹出し口から浴室に吹出す循環ファンを設けると共に、循環ファンより上流側の通風路の部分に、吸込み口から吸込まれた空気を加熱する加熱器を設けたサウナ機能付き浴室暖房機であって、給湯路を介して供給される温水を微細水滴に破砕して通風路に流れる空気に混入させることにより空気を加湿する加湿手段を備えるものにおいて、加熱器と循環ファンとの間の通風路の部分に加湿手段が配置されていることを特徴とする。
【０００７】
本発明によれば、加湿手段により発生する微細水滴が加熱器と循環ファンとの間の通風路の部分に流れる空気に混入される。ここで、加熱器と循環ファンとの間の通風路の部分は負圧になり、且つ、当該部分に流れる空気は加熱器で加熱されているため、微細水滴が効率良く気化し、循環ファンが水で濡れることを防止できる。従って、循環ファンから大きな水滴が飛散して浴室内に飛び出すことを防止できる。
【０００８】
また、本発明においては、加熱器と循環ファンとの間の通風路の部分に下方への窪み部が設けられ、この窪み部に加湿手段が配置されることが望ましい。これによれば、循環ファンと加湿手段との間に高低差が確保され、そのため、加湿手段で発生する水滴のうち比較的粒径の大きなものは循環ファンに吸込まれる前に自重で落下して、気化しやすい微細な水滴のみが循環ファンに吸込まれるようになる。従って、循環ファンが水で濡れることを一層確実に防止できる。更に、通風路に流れる空気流に対して加湿手段が抵抗にならず、暖房効率を低下させることなく加湿することができる。
【発明を実施するための最良の形態】
【０００９】
図１は本発明の実施形態のサウナ機能付き浴室暖房機を示している。この浴室暖房機は、浴室の天井部に設置される箱形の暖房機本体１を備えている。暖房機本体１は、浴室の天井内面に露出する下カバー２を具備しており、この下カバー２に吸込み口３と吹出し口４とが開設されている。
【００１０】
暖房機本体１内には、吸込み口３と吹出し口４とを結ぶ通風路５が画成されている。そして、通風路５に循環ファン６を配置すると共に、循環ファン６より上流側の通風路５の部分に、図外の熱源機からの熱媒体(水、不凍液等)を供給する熱交換器から成る加熱器７を設けている。加熱器７に熱媒体を供給すると共に循環ファン６を作動させると、浴室内の空気が吸込み口３から吸込まれて加熱器７で加熱され、吹出し口４から温風となって浴室内に送風される。
【００１１】
また、加熱器７と循環ファン６との間の通風路５の部分には下方への窪み部５ａが設けられている。そして、この窪み部５ａに加湿手段８を配置している。加湿手段８は、図２に示す如く、ドレンパン８１と、ドレンパン８１内に傾斜姿勢で配置した衝突板８２と、給湯路８３を介して供給される温水を衝突板８２に向けて噴出するノズル８４とを備えている。ノズル８４は複数個（図示例では３個）設けられており、各ノズル８４に各別の電磁開閉弁８５を介して温水が供給される。また、図１に示す如くドレンパン８１用の排水ポンプ８６が設けられている。
【００１２】
尚、ノズル８４には給湯機からの温水を供給してもよく、また、熱源機からの熱媒体を供給する液々熱交換器で加熱された温水を供給してもよい。
【００１３】
次に、本実施形態の作動について説明する。図外のリモコンに設けられたサウナスイッチをオンすると、加熱器７に熱源機からの熱媒体が供給されると共に循環ファン６が駆動され、更に、電磁開閉弁８５が開弁してノズル８４から温水が噴出する。噴出した温水は衝突板８２に衝突して破砕される。そして、衝突板８２から跳ね上がる微細水滴が加熱器７と循環ファン６との間の通風路５の部分に流れる空気に混入する。これにより空気中の湿度が高くなり、浴室内が高温多湿のサウナ状態になる。尚、衝突板８２で破砕されずに流下する温水はドレンパン８１で回収され、排水ポンプ８６により適宜排水される。
【００１４】
ここで、加熱器７と循環ファン６との間の通風路５の部分は負圧になり、且つ、当該部分に流れる空気は加熱器７で加熱されているため、この空気に混入した微細水滴は効率良く気化される。従って、循環ファン６が水で濡れることを防止できる。そのため、循環ファン６が水で濡れた場合に生ずる不具合、即ち、循環ファン６から大きな水滴が飛散し、この水滴が浴室内に飛び出して使用者に当り、不快感を与えることを防止できる。
【００１５】
特に、本実施形態では、加熱器７と循環ファン６との間の通風路５の部分に設けた下方への窪み部５ａに加湿手段８を配置することで、循環ファン６と加湿手段８との間に高低差が確保される。そのため、衝突板８２から比較的大きな粒径の水滴が跳ね上がっても、この水滴は循環ファン６に吸込まれる前に自重で落下し、循環ファン６に吸込まれるのは気化しやすい微細水滴のみになる。これにより、循環ファン６が水で濡れることを一層確実に防止できる。更に、通風路５に流れる空気流に対して加湿手段８が抵抗にならず、暖房効率を低下させることなく加湿することができる。
【００１６】
また、１個のノズル８４から多量の温水を噴出したのでは、衝突板８２への衝突により微細水滴を効率良く発生できなくなる。これに対し、本実施形態では、ノズル８４を複数個設けるため、ノズル１個当りの噴出水量を少なくして、微細水滴を効率良く発生させることができる。更に、温水を噴出するノズル８４の個数を可変することで、加湿量を調節することも可能になる。
【００１７】
以上、本発明の実施形態について図面を参照して説明したが、本発明はこれに限定されない。例えば、上記実施形態では、加熱器７として熱源機からの熱媒体を供給する熱交換器を用いたが、電気ヒータを用いることも可能である。また、上記実施形態の加湿手段８は、ノズル８４から噴出する温水を衝突板８２に衝突させて微細水滴に破砕する型式に構成されているが、回転板に温水を衝突させる等の他の型式のものを用いることも可能である。また、ノズル８４としては、温水を水流状に噴出するものやミスト状に噴出するものを用いることができる。
【図面の簡単な説明】
【００１８】
【図１】本発明の実施形態の浴室暖房機の切断側面図。
【図２】図１の浴室暖房機に備える加湿手段の斜視図。
【符号の説明】
【００１９】
１…暖房機本体、３…吸込み口、４…吹出し口、５…通風路、６…循環ファン、７…加熱器、８…加湿手段、８３…給湯路。
【図１】
2008267698.tif 000003
【図２】
2008267698.tif 000004